(57)【要約】【課題】客が商品の登録を行う際に不正を行いにくい商品情報登録装置およびプログラムを提供する。【解決手段】セルフＰＯＳ端末（商品情報登録装置）は、商品情報登録部（登録手段）が、商品指定部（指定手段）が指定した商品の商品情報、または、商品情報読取部（指定手段）が読み取った商品の商品情報を登録した際に、報知指示部（報知指示手段）が、報知部（報知手段）に対して、商品情報が登録されたことを示す報知を行わせる。【選択図】図４
2019185455.tif 000002
【特許請求の範囲】
【請求項１】
商品を指定する指定手段と、
前記指定手段によって指定された商品の商品情報を登録する登録手段と、
前記登録手段によって商品情報が登録された際に、報知手段に対して、商品情報が登録された旨を報知させる報知指示手段と、を備える、
ことを特徴とする商品情報登録装置。
【請求項２】
前記指定手段は、前記商品と関連付けられたプリセットボタンの操作を検出したことを条件として、当該プリセットボタンに関連付けられた商品を指定する、または、前記商品に貼付された当該商品を一意に特定するコード情報を含むコードシンボルを読み取ったことを条件として、前記商品を指定する、
ことを特徴とする請求項１に記載の商品情報登録装置。
【請求項３】
前記報知指示手段は、前記指定手段が、前記プリセットボタンの操作を検出することによって商品を指定したか、または、前記指定手段が、前記コードシンボルが含むコード情報を読み取ることによって商品を指定したか、に応じて、前記報知手段に対して、異なる報知形態による報知を指示する、
ことを特徴とする請求項２に記載の商品情報登録装置。
【請求項４】
前記報知手段は、少なくとも照明手段を備えるものであって、当該照明手段は、前記商品情報登録装置に付設されるか、若しくは前記商品情報登録装置とは離隔した、当該商品情報登録装置の動作状態を監視する位置に設置される、
ことを特徴とする請求項１から請求項３のいずれか１項に記載の商品情報登録装置。
【請求項５】
前記報知指示手段は、前記報知手段に対して、所定時間に亘って報知を行わせる、
ことを特徴とする請求項１から請求項４のいずれか１項に記載の商品情報登録装置。
【請求項６】
請求項１から請求項５のいずれか１項に記載の商品情報登録装置を制御するコンピュータを、
商品を指定する指定手段と、
前記指定手段によって指定された商品の商品情報を登録する登録手段と、
前記登録手段によって商品情報が登録された際に、報知手段に対して、商品情報が登録された旨を報知させる報知指示手段と、
して機能させるプログラム。
【発明の詳細な説明】
【技術分野】
【０００１】
本発明の実施形態は、商品情報登録装置およびプログラムに関する。
【背景技術】
【０００２】
スーパーマーケットやコンビニエンスストア等の小売店舗の中には、客自身に、商品の登録および会計に係る操作を行わせるセルフチェックアウト装置を備える店舗がある（例えば、特許文献１）。
【０００３】
このようなセルフチェックアウト装置において、客は、商品を示すプリセットボタン（プリセットキー）を操作するか、或いは、商品をスキャナに翳すことによって、購入する商品の商品情報をセルフチェックアウト装置に登録させる登録処理を行っていた。
【０００４】
このようなセルフチェックアウト装置では、商品に貼付された、当該商品の商品情報を含むコードシンボル（例えばバーコード）をスキャナで読み取ることによって、商品の登録を行っていた。また、コードシンボルが貼付されていない商品は、当該商品に予め関連付けたプリセットボタンを押下することによって、商品の登録を行っていた。そして、セルフチェックアウト装置は、客の操作性を向上させるために、スキャナがコードシンボルをスキャンした際には、光や音によって報知を行っていた。また、プリセットボタンが押下された際にも、音によって報知を行っていた。
【０００５】
しかしながら、このような音や光による報知は、必ずしも、商品情報が登録されたことを示す情報ではなかった。したがって、客が、より安価の商品のコードシンボルをスキャンすることによって商品登録する不正を行うおそれがあった。また、客が、より安価な商品のプリセットボタンを押下することによって商品登録する不正を行うおそれがあった。
【発明の概要】
【発明が解決しようとする課題】
【０００６】
本発明が解決しようとする課題は、客が商品の登録を行う際に不正を行いにくい商品情報登録装置およびプログラムを提供することである。
【課題を解決するための手段】
【０００７】
実施形態の商品情報登録装置は、指定手段と、登録手段と、報知指示手段と、を備える。指定手段は、商品を指定する。登録手段は、指定手段によって指定された商品の商品情報を登録する。報知指示手段は、登録手段によって商品情報が登録された際に、報知手段に対して、商品情報が登録された旨を報知させる。
【図面の簡単な説明】
【０００８】
【図１】図１は、実施形態に係るセルフＰＯＳ端末の外観斜視図である。
【図２】図２は、セルフＰＯＳ端末のハードウェア構成の一例を示すハードウェアブロック図である。
【図３】図３は、スキャナのハードウェア構成の一例を示すハードウェアブロック図である。
【図４】図４は、セルフＰＯＳ端末の機能構成の一例を示す機能ブロック図である。
【図５】図５は、商品を選択することによって登録する際に表示される選択登録画面の一例を示す図である。
【図６】図６は、コードシンボルが読み取られた際に表示される読取登録画面の一例を示す図である。
【図７】図７は、実施形態に係るセルフＰＯＳ端末が行う登録処理および報知処理の流れの一例を示すフローチャートである。
【発明を実施するための形態】
【０００９】
以下、添付図面を参照して、本実施形態に係るセルフチェックアウト装置について説明する。本実施形態に係るセルフチェックアウト装置（以下、セルフＰＯＳ端末という）は、例えば、スーパーマーケット等の店舗に設置されて用いられる。買い物を行った客は、セルフＰＯＳ端末を操作することによって、客自ら、購入する商品を登録して会計を行うことができる。なお、セルフチェックアウト装置（セルフＰＯＳ端末）は、商品情報登録装置の一例である。また、以下に説明する実施形態は、商品情報登録装置およびプログラムの一実施形態であって、その構成や仕様等を限定するものではない。
【００１０】
（セルフＰＯＳ端末の全体構成の説明）
図１は、実施形態に係るセルフＰＯＳ端末１の外観斜視図である。セルフＰＯＳ端末１の本体２２は、ディスプレイ２４、スキャナ２５およびハンドスキャナ２６を備えている。ディスプレイ２４の表面には、タッチパネル２３が配設されている。
【００１１】
ディスプレイ２４としては、例えば液晶表示器が用いられる。ディスプレイ２４は、客にセルフＰＯＳ端末１の操作方法を知らせるための案内画面（不図示）を表示する。また、ディスプレイ２４は、商品を予めプリセットしたプリセットボタンを選択することによって商品の登録を行う選択登録画面Ｓ１（図４参照）を表示する。また、ディスプレイ２４は、スキャナ２５またはハンドスキャナ２６により商品に付されたコードシンボルを読み取ることによって登録された商品情報を表示する読取登録画面Ｓ２（図５参照）を表示する。また、ディスプレイ２４は、商品の合計金額や預かり金額、釣銭額等を表示して、客に対して支払い方法の選択を行わせる会計画面（不図示）等を表示する。
【００１２】
スキャナ２５およびハンドスキャナ２６は、商品に付されたバーコードや二次元コード等のコードシンボルを読み取る。スキャナ２５は、例えば、ＣＣＤ（Charge  Coupled  Device）やＣＭＯＳ（Complementary  Metal  Oxide  Semiconductor）等の光学的撮像素子を備え、読取窓手前の撮像領域を撮影する。客は、商品に付されたコードシンボルをスキャナ２５の読取窓に翳すことで、スキャナ２５にコードシンボルを読み取らせる。ダンボール箱や長尺の商品等の大型の商品に関しては、商品に付されたコードシンボルをスキャナ２５の読取窓に翳すことは難しい。このような場合、客は、ハンドスキャナ２６を商品に付されたバーコード等のコードシンボルに翳すことによって、コードシンボルを読み取らせる。コードシンボルには、商品を一意に特定可能なＪＡＮ（Japanese  Article  Number）コードやＣＯＤＥ１２８等のコード情報が登録されている。なお、スキャナ２５およびハンドスキャナ２６は、更に、商品を一般物体認識（オブジェクト認識）により特定する機能を備えていてもよい。
【００１３】
スキャナ２５の読取窓の近傍には、発光部１６が設けられている。発光部１６は、例えばＬＥＤを内蔵しており、スキャナ２５が商品に付されたコードシンボルの内容を読み取り、読み取られた結果に関連する商品が登録された際に、所定時間に亘って点灯する。また、発光部１６は、前記した選択登録画面において、客が商品の登録を行った際に、所定時間に亘って点灯する。なお発光部１６の設置位置は、スキャナ２５の読取窓の近傍に限定されるものではなく、例えば、ディスプレイ２４の上部に、発光部１６の代わりに、発光部１６と同じ機能を備える発光部１７を設置してもよい。なお、発光部１６（１７）は、照明手段の一例である。
【００１４】
特に、発光部１７は発光部１６に比べて高い位置に設置されているため、発光部１７が発光した際には、セルフＰＯＳ端末１を操作する客の他に、セルフＰＯＳ端末１の状態を監視している店員にも気づかれやすい。また、発光部１６を、スキャナ２５の読取窓の近傍の他に、複数のセルフＰＯＳ端末１の動作状態を監視するアテンダント端末に設置してもよい。すなわち、セルフＰＯＳ端末１の動作状態の監視者が、発光部１６の発光状態をモニタできるようにしてもよい。
【００１５】
本体２２の右側には、客が、かごに入った未清算の商品を載置する商品載置台２７が設けられている。また、本体２２の左側には、客が、精算済みの商品を置く商品載置台２８が設けられている。商品載置台２８の上方には、客が、精算済みの商品を入れる袋を掛ける袋掛けフック８と、客が、精算済みの商品を袋に入れる前に一時的に載置する一時置き台９が設けられている。商品載置台２７は、内部に計量器３４を備え、商品載置台２８は、内部に計量器３５を備えている。セルフＰＯＳ端末１は、商品の登録の前後で、商品の総重量が所定レベル以上異なった場合に、エラーを出力する。
【００１６】
セルフＰＯＳ端末１の本体２２には、客のポイントカードやクレジットカードを読み取るカードリーダ３０が備えられる。カードリーダ３０は、精算時に、カード挿入口１０から挿入された、客のポイントカードやクレジットカードを読み取る。また、本体２２には、レシートを印字するレシートプリンタ３１が備えられる。レシートプリンタ３１が印字したレシートは、レシート発行口１１から発行される。
【００１７】
また、セルフＰＯＳ端末１の本体２２には、精算時に客が入金した紙幣および硬貨の金額を計算して、必要に応じて釣り紙幣および釣り硬貨を払い出す入出金装置３２が備えられる。客は、紙幣入出金口１２を介して精算用の紙幣の入金や釣り紙幣の受け取りを行う。また、客は、硬貨投入口１３から硬貨を投入して、硬貨取出口１４から釣り硬貨を受け取る。
【００１８】
さらに、本体２２の上面にはポールが備えられている。ポールの上端には、セルフＰＯＳ端末１でなされた操作に異常があった場合や、店員を呼び出す場合等に点灯する警告灯１５が設けられている。
【００１９】
（セルフＰＯＳ端末のハードウェア構成の説明）
次に、図２を用いて、セルフＰＯＳ端末１のハードウェア構成について説明する。図２は、セルフＰＯＳ端末１のハードウェア構成の一例を示すハードウェアブロック図である。セルフＰＯＳ端末１は、ＣＰＵ５０ａ（Central  Processing  Unit）と、ＲＯＭ５０ｂ（Read  Only  Memory）およびＲＡＭ５０ｃ（Random  Access  Memory）等で構成されるコンピュータ構成の制御部５０を備えている。ＲＯＭ５０ｂは、ＣＰＵ５０ａが実行する各種プログラムや各種固定データ等を記憶する。ＲＡＭ５０ｃは、ＣＰＵ５０ａが各種プログラムを実行する際に、データやプログラムを一時的に記憶する。また、ＲＡＭ５０ｃは、商品の販売記録を示す販売データや、ディスプレイ２４に表示する各種の画面表示データ等を記憶する。
【００２０】
制御部５０は、バス３８およびＩ／Ｏ（Input／Output）機器制御部３９を介して、タッチパネル２３、ディスプレイ２４、スキャナ２５、ハンドスキャナ２６、発光部１６、計量器３４、計量器３５、カードリーダ３０、プリンタ３１、入出金装置３２、警告灯１５、ＨＤＤ（Hard  Disk  Drive）３６等のＩ／Ｏ機器と接続されている。制御部５０は、上記各部の動作を制御し、セルフＰＯＳ端末１のシステム全体を制御する。また、制御部５０は、通信Ｉ／Ｆ３７を介してＬＡＮ（Local  Area  Network）７で接続された、ともに不図示のストアサーバやアテンダント端末と相互に通信を行う。
【００２１】
タッチパネル２３、ディスプレイ２４、スキャナ２５、ハンドスキャナ２６、発光部１６、計量器３４、計量器３５、カードリーダ３０、プリンタ３１、入出金装置３２、警告灯１５は、それぞれ、前述した機能を実現するハードウェアである。
【００２２】
また、ＨＤＤ３６は、制御プログラムＰ１と、ＰＬＵファイルＦ１と、売上ファイルＦ２等を記憶している。
【００２３】
制御プログラムＰ１は、セルフＰＯＳ端末１の全体の動作を制御するプログラムである。なお、制御プログラムＰ１は、ＲＯＭ５０ｂに予め組み込まれて提供されてもよい。また、制御プログラムＰ１は、制御部５０にインストール可能な形式又は実行可能な形式のファイルで、ＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録して提供するように構成してもよい。さらに、制御プログラムＰ１を、インターネット等のネットワークに接続されたコンピュータ上に格納し、ネットワーク経由でダウンロードさせることにより提供するように構成してもよい。また、制御プログラムＰ１を、インターネット等のネットワーク経由で提供または配布するように構成してもよい。
【００２４】
ＰＬＵファイルＦ１は、各商品にユニークに割り当てられたＪＡＮコード等のコード情報と、当該商品の名称、価格、商品分類等の商品に関する商品情報とを関連付けて格納したファイルである。また、セルフＰＯＳ端末１が、商品を一般物体認識（オブジェクト認識）により特定する構成である場合には、ＰＬＵファイルＦ１は、更に、各商品の特徴量または基準画像を記憶する。尚、特徴量とは、商品の基準画像から読み取られた、商品の色合いや商品の表面の凹凸状況等のデータである。
【００２５】
売上ファイルＦ２は、セルフＰＯＳ端末１が商品の登録処理を行って生成した、商品登録情報を格納するファイルである。
【００２６】
（スキャナのハードウェア構成の説明）
次に、図３を用いて、スキャナ２５のハードウェア構成について説明する。図３は、スキャナ２５のハードウェア構成の一例を示すハードウェアブロック図である。スキャナ２５は、ＣＰＵ６０ａと、ＲＯＭ６０ｂおよびＲＡＭ６０ｃ等で構成されるコンピュータ構成の制御部６０を備えている。ＲＯＭ６０ｂは、ＣＰＵ６０ａが実行する制御プログラムＰ２や各種固定データ等を記憶する。ＲＡＭ６０ｃは、ＣＰＵ６０ａが制御プログラムＰ２を実行する際に、データやプログラムを一時的に記憶する。
【００２７】
制御部６０は、バス６３およびＩ／Ｏ機器制御部６４を介して、カメラ６６等のＩ／Ｏ機器、およびセルフＰＯＳ端末１のＩ／Ｏ機器制御部３９を介して、発光部１６（１７）と、ＨＤＤ３６と接続されている。制御部６０は、上記各部の動作を制御し、スキャナ２５を制御する。
【００２８】
カメラ６６は、読取窓の奥に読取窓を向いて設置される。カメラ６６は、読取窓に翳された商品を撮像する。
【００２９】
なお、図示は省略するが、ハンドスキャナ２６も、スキャナ２５と同様のハードウェア構成を備えている。
【００３０】
（セルフＰＯＳ端末の機能構成の説明）
次に、図４を用いて、本実施形態のセルフＰＯＳ端末１の機能構成について説明する。図４は、セルフＰＯＳ端末１の機能構成の一例を示す機能ブロック図である。
【００３１】
本実施形態のセルフＰＯＳ端末１が実行する制御プログラムＰ１は、図４に示すように、商品指定部５１、商品情報登録部５２、報知指示部５３、報知部５４、通信制御部５５を含むモジュール構成となっている。実際のハードウェアとしては、ＣＰＵ５０ａがＨＤＤ３６から制御プログラムＰ１を読み出して、ＲＡＭ５０ｂ上に展開して実行することにより、図４に示す各部が制御部５０に生成される。なお、制御部５０には、この他にも、図２に示した各Ｉ／Ｏ機器を制御する機能部位が生成されるが、ここでは、商品の登録を行う際に動作する部位のみを示す。
【００３２】
また、本実施形態のスキャナ２５が実行する制御プログラムＰ２は、図４に示すように、商品情報読取部６１と、通信制御部６２を含むモジュール構成となっている。実際のハードウェアとしては、ＣＰＵ６０ａがＲＯＭ６６ｂから制御プログラムＰ２を読み出して、ＲＡＭ６０ｂ上に展開して実行することにより、図４に示す各部が制御部６０に生成される。
【００３３】
商品指定部５１は、選択登録画面（図５参照）を生成して、ディスプレイ２４に表示する。また、商品指定部５１は、選択登録画面に対する客の操作情報に基づいて、客が購入する商品を選択する。また、商品指定部５１は、客が選択した商品の商品情報を、前記したＨＤＤ３６のＰＬＵファイルＦ１から読み出す。なお、商品指定部５１は、指定手段の一例である。
【００３４】
商品情報登録部５２は、商品指定部５１によって指定された商品の商品情報を、ＨＤＤ３６の売上ファイルＦ２に登録する登録処理を行う。また、商品情報登録部５２は、後述する商品情報読取部６１が読み取った商品の商品情報を、ＨＤＤ３６の売上ファイルＦ２に登録する登録処理を行う。なお、商品情報登録部５２は、登録手段の一例である。
【００３５】
報知指示部５３は、商品情報登録部５２によって商品情報が登録された際に、後述する報知部５４に対して、商品情報が登録された旨を報知させる。また、報知指示部５３は、報知部５４に対して、商品情報が登録された旨を報知させてから所定時間が経過したかを判定する。なお、報知指示部５３は、報知指示手段の一例である。
【００３６】
報知部５４は、選択登録画面における客の選択操作、またはスキャナ２５（ハンドスキャナ２６）によるコードシンボルの読み取りによって商品が登録されたことを報知する報知処理を行う。具体的には、報知部５４は、発光部１６（１７）（図２参照）を発光させることによって報知を行う。なお、報知部５４は、報知手段の一例である。
【００３７】
通信制御部５５は、制御部６０の後述する通信制御部６２から、スキャナ２５が読み取った商品情報を受信する。また、通信制御部５５は、ストアサーバおよびアテンダント端末に対して、売上ファイルＦ２を送信する。さらに、通信制御部５５は、ストアサーバから、ＰＬＵファイルＦ１の更新情報を受信する。
【００３８】
商品情報読取部６１は、スキャナ２５に翳された商品の商品情報を読み取る。なお、商品情報読取部６１は、指定手段の一例である。
【００３９】
通信制御部６２は、制御部５０の前記した通信制御部５５に対して、スキャナ２５が読み取った商品情報を送信する。
【００４０】
（選択登録画面の説明）
次に、図５を用いて、バーコード等のコードシンボルが付されていない商品の登録を行う際にディスプレイ２４に表示される選択登録画面Ｓ１について説明する。図５は、商品を選択することによって登録する際に表示される選択登録画面Ｓ１の一例を示す図である。
【００４１】
選択登録画面Ｓ１には、商品表示ウインドウＷ１と、商品カテゴリ表示ウインドウＷ２と、商品情報表示ウインドウＷ４と、登録済商品情報表示ウインドウＷ５と、合計金額表示ウインドウＷ６と、小計ボタンＢ１と、ページ送りボタンＢ２、Ｂ３が表示される。
【００４２】
商品表示ウインドウＷ１には、選択可能な商品を示す複数のプリセットボタンＰＢが表示される。客は、購入する商品を示すプリセットボタンＰＢを操作（押下）することによって、当該商品を選択する。プリセットボタンＰＢが操作されたことは、図５に選択済商品表示Ｗ３として示すように、商品を示すプリセットボタンＰＢの色が変更されることによって示される。
【００４３】
商品カテゴリ表示ウインドウＷ２には、商品表示ウインドウＷ１に表示する商品のカテゴリを選択する複数のカテゴリボタンＣＢが表示される。なお、図５は、商品カテゴリ表示ウインドウＷ２の中の、野菜カテゴリを示すカテゴリボタンＣＢが選択された状態を示す。野菜カテゴリが選択されていることは、野菜カテゴリを示すカテゴリボタンＣＢの色が変更されることによって表される。
【００４４】
商品情報表示ウインドウＷ４には、客が、最も直近に商品表示ウインドウＷ１の中から選択した商品の商品情報が表示される。
【００４５】
登録済商品情報表示ウインドウＷ５には、同じ客によって既に登録された商品の商品情報が表示される。ページ送りボタンＢ２、Ｂ３は、登録した商品の点数が多い場合に、登録済商品情報表示ウインドウＷ５を上下にスクロールするためのボタンである。ページ送りボタンＢ２を押下すると、登録済商品情報表示ウインドウＷ５が１行ずつ下にスクロールする。ページ送りボタンＢ３を押下すると、登録済商品情報表示ウインドウＷ５が１行ずつ上にスクロールする。
【００４６】
合計金額表示ウインドウＷ６には、同じ客によって既に登録された商品の購入点数と合計金額が表示される。
【００４７】
小計ボタンＢ１は、商品登録を完了した際に押下することによって、商品登録が完了したことをセルフＰＯＳ端末１に伝達するためのボタンである。
【００４８】
（読取登録画面の説明）
次に、図６を用いて、スキャナ２５またはハンドスキャナ２６によって、バーコード等のコードシンボルが付されている商品の登録を行う際にディスプレイ２４に表示される読取登録画面Ｓ２について説明する。図６は、コードシンボルが読み取られた際に表示される読取登録画面Ｓ２の一例を示す図である。
【００４９】
読取登録画面Ｓ２には、商品情報表示ウインドウＷ４と、合計金額表示ウインドウＷ６と、登録済商品情報表示ウインドウＷ７と、購入点数指示ウインドウＷ８と、購入点数表示ウインドウＷ９と、小計ボタンＢ１と、ページ送りボタンＢ４、Ｂ５と、購入点数加算ボタンＢ６と、購入点数減算ボタンＢ７とが表示される。
【００５０】
商品情報表示ウインドウＷ４には、客が、最も直近にコードシンボルを読み取らせた商品の商品情報が表示される。
【００５１】
合計金額表示ウインドウＷ６には、同じ客によって既に登録された商品の購入点数と合計金額が表示される。
【００５２】
登録済商品情報表示ウインドウＷ７には、同じ客によって既に登録された商品情報が表示される。なお、登録済商品情報表示ウインドウＷ７に表示される商品は、コードシンボルを読み取ることによって登録された商品と、プリセットボタンＰＢを選択することによって登録された商品と、を含む。ページ送りボタンＢ４、Ｂ５は、登録した商品の点数が多い場合に、登録済商品情報表示ウインドウＷ７を上下にスクロールするためのボタンである。ページ送りボタンＢ４を押下すると、登録済商品情報表示ウインドウＷ７が１行ずつ下にスクロールする。ページ送りボタンＢ５を押下すると、登録済商品情報表示ウインドウＷ７が１行ずつ上にスクロールする。
【００５３】
購入点数指示ウインドウＷ８には、同一商品の購入点数を設定するために必要な情報が表示される。また、購入点数表示ウインドウＷ９には、客が設定した、同一商品の購入点数が表示される。なお、購入点数加算ボタンＢ６と、購入点数減算ボタンＢ７とは、それぞれ必要な回数だけ押下することによって、購入点数表示ウインドウＷ９に表示される購入点数を設定する。
【００５４】
小計ボタンＢ１は、前述した通り（図５参照）、商品登録を完了した際に押下することによって、商品登録が完了したことをセルフＰＯＳ端末１に伝達するためのボタンである。
【００５５】
（登録処理の流れの説明）
セルフＰＯＳ端末１は、商品を登録する登録処理と、商品が登録される度に、商品が登録されたことを報知する報知処理とを並行して実行する。まず、図７を用いて、登録処理の流れを説明する。図７は、実施形態に係るセルフＰＯＳ端末１が行う登録処理および報知処理の流れの一例を示すフローチャートである。
【００５６】
セルフＰＯＳ端末１の商品情報登録部５２は、例えば、ディスプレイ２４上に表示されたメインメニュー画面（不図示）の中から、商品登録（コードシンボル読み取り）が選択されたことを検出して、商品の登録処理を開始する。
【００５７】
まず、商品情報読取部６１は、スキャナ２５を制御することによって画像入力（撮像）を行う（ステップＳ１０）。なお、ハンドスキャナ２６が操作された場合は、スキャナ２５に代わって、ハンドスキャナ２６が画像入力を行うが、以下は、スキャナ２５が動作する場合に限定して説明する。
【００５８】
商品情報読取部６１は、撮像された画像を処理して、バーコードを検出する。そして、商品情報読取部６１は、バーコードが検出されたかを判定する（ステップＳ１２）。バーコードが検出されたと判定される（ステップＳ１２：Ｙｅｓ）と、ステップＳ１４に移行する。一方、バーコードが検出されたと判定されない（ステップＳ１２：Ｎｏ）と、ステップＳ２４に移行する。
【００５９】
ステップＳ１２においてＹｅｓと判定されると、ステップＳ１４において、商品情報読取部６１は、バーコードに登録されたＪＡＮコード等のコード情報を読み取る。
【００６０】
次に、商品情報登録部５２は、コード情報を読み取った商品を登録する（ステップＳ１６）。
【００６１】
続いて、報知指示部５３は、報知部５４に対して、報知指示Ａを出力する（ステップＳ１８）。報知指示Ａとは、コード情報を読み取ることによって商品登録を行ったことを報知する指示である。例えば、報知指示Ａは、発光部１６（１７）を青色に発光させることによって報知を行う。
【００６２】
報知指示部５３は、報知指示Ａを出力してから所定時間が経過したかを判定する（ステップＳ２０）。所定時間が経過したと判定される（ステップＳ２０：Ｙｅｓ）と、ステップＳ２２に移行する。一方、所定時間が経過したと判定されない（ステップＳ２０：Ｎｏ）と、ステップＳ２０の判定を繰り返す。なお、所定時間は、例えば０．５秒に設定される。
【００６３】
ステップＳ２０においてＹｅｓと判定されると、ステップＳ２２において、報知指示部５３は、報知部５４に対して、報知指示Ａを解除する指示を出す。
【００６４】
次に、商品指定部５１は、選択登録画面Ｓ１において、プリセットボタンＰＢが押下されたかを判定する（ステップＳ２４）。また、ステップＳ１２においてＮｏと判定された場合も、ステップＳ２４を実行する。
【００６５】
なお、図７のフローチャートには記載しないが、選択登録画面Ｓ１は、商品情報登録部５２が、ディスプレイ２４上に表示されたメインメニュー画面（不図示）の中から、商品登録（プリセット商品選択）が選択されたことを検出した際に表示されるものとする。
【００６６】
ステップＳ２４において、プリセットボタンＰＢが押下されたと判定される（ステップＳ２４：Ｙｅｓ）と、ステップＳ２６に進む。一方、プリセットボタンＰＢが押下されたと判定されない（ステップＳ２４：Ｎｏ）と、ステップＳ３４に進む。
【００６７】
ステップＳ２４においてＹｅｓと判定されると、ステップＳ２６において、商品情報登録部５２は、押下されたプリセットボタンＰＢに関連付けられた商品を登録する（ステップＳ２６）。
【００６８】
続いて、報知指示部５３は、報知部５４に対して、報知指示Ｂを出力する（ステップＳ２８）。報知指示Ｂとは、プリセットボタンＰＢを選択することによって商品登録を行ったことを報知する指示である。例えば、報知指示Ｂは、発光部１６（１７）を緑色に発光させることによって報知を行う。すなわち、報知指示Ａと報知指示Ｂとは、異なる報知形態による報知を指示するものである。
【００６９】
報知指示部５３は、報知指示Ｂを出力してから所定時間が経過したかを判定する（ステップＳ３０）。所定時間が経過したと判定される（ステップＳ３０：Ｙｅｓ）と、ステップＳ３２に移行する。一方、所定時間が経過したと判定されない（ステップＳ３０：Ｎｏ）と、ステップＳ３０の判定を繰り返す。なお、所定時間は、例えば０．５秒に設定される。
【００７０】
ステップＳ３０においてＹｅｓと判定されると、ステップＳ３２において、報知指示部５３は、報知部５４に対して、報知指示Ｂを解除する指示を出す。
【００７１】
次に、商品情報登録部５２は、小計ボタンＢ１が押下されたかを判定する（ステップＳ３４）。また、ステップＳ２４においてＮｏと判定された場合も、ステップＳ３４を実行する。
【００７２】
ステップＳ３４において、小計ボタンＢ１が押下されたと判定される（ステップＳ３４：Ｙｅｓ）と、ステップＳ３６に進む。一方、小計ボタンＢ１が押下されたと判定されない（ステップＳ３４：Ｎｏ）と、ステップＳ１０に戻る。
【００７３】
ステップＳ３４においてＹｅｓと判定されると、ステップＳ３６において、商品情報読取部６１は、登録処理を終了する。そして、図示はしないが、セルフＰＯＳ端末１は、続いて、客に対し、登録された商品を決済する決済処理を行わせる。
【００７４】
なお、図７では、先にコードシンボルの読み取りによる商品登録を行って、次にプリセットボタンＰＢによる商品登録を行う順で説明したが、その順序は逆であってもよい。また、両者がコードシンボルの読み取りによる商品登録とプリセットボタンＰＢによる商品登録とが、順不同で複数回繰り返されてもよい。
【００７５】
（報知処理の流れの説明）
次に、同じく図７を用いて、報知処理の流れを説明する。セルフＰＯＳ端末１の商品情報登録部５２が商品の登録処理を開始すると、報知部５４は報知処理を開始する。
【００７６】
報知部５４は、報知指示Ａがなされたかを判定する（ステップＳ４０）。報知指示Ａがなされたと判定される（ステップＳ４０：Ｙｅｓ）と、ステップＳ４２に移行する。一方、報知指示Ａがなされたと判定されない（ステップＳ４０：Ｎｏ）と、ステップＳ４８に移行する。
【００７７】
ステップＳ４０においてＹｅｓと判定されると、ステップＳ４２において、報知部５４は、発光部１６（１７）を、報知指示Ａに対応する状態で点灯する。
【００７８】
続いて、報知部５４は、報知解除指示がなされたかを判定する（ステップＳ４４）。報知解除指示がなされたと判定される（ステップＳ４４：Ｙｅｓ）と、ステップＳ４６に移行する。一方、報知解除指示がなされたと判定されない（ステップＳ４４：Ｎｏ）と、ステップＳ４４を繰り返す。
【００７９】
ステップＳ４４においてＹｅｓと判定されると、ステップＳ４６において、報知部５４は、発光部１６（１７）を消灯する。
【００８０】
続いて、報知部５４は、報知指示Ｂがなされたかを判定する（ステップＳ４８）。報知指示Ｂがなされたと判定される（ステップＳ４８：Ｙｅｓ）と、ステップＳ５０に移行する。一方、報知指示Ｂがなされたと判定されない（ステップＳ４８：Ｎｏ）と、ステップＳ４０に戻る。
【００８１】
ステップＳ４８においてＹｅｓと判定されると、ステップＳ５０において、報知部５４は、発光部１６（１７）を、報知指示Ｂに対応する状態で点灯する。
【００８２】
続いて、報知部５４は、報知解除指示がなされたかを判定する（ステップＳ５２）。報知解除指示がなされたと判定される（ステップＳ５２：Ｙｅｓ）と、ステップＳ５４に移行する。一方、報知解除指示がなされたと判定されない（ステップＳ５２：Ｎｏ）と、ステップＳ５２を繰り返す。
【００８３】
ステップＳ５２においてＹｅｓと判定されると、ステップＳ５４において、報知部５４は、発光部１６（１７）を消灯する。
【００８４】
次に、報知部５４は、登録処理が終了したかを判定する（ステップＳ５６）。登録処理が終了したと判定される（ステップＳ５６：Ｙｅｓ）と、ステップＳ５８に移行する。一方、登録処理が終了したと判定されない（ステップＳ５６：Ｎｏ）と、ステップＳ４０に戻る。
【００８５】
ステップＳ５６においてＹｅｓと判定されると、ステップＳ５８において、報知部５４は、報知処理を終了させる。
【００８６】
以上説明したように、実施形態のセルフＰＯＳ端末１（商品情報登録装置）は、商品情報登録部５２（登録手段）が、商品指定部５１（指定手段）が指定した商品の商品情報、または、商品情報読取部６１（指定手段）が読み取った商品の商品情報を登録した際に、報知指示部５３（報知指示手段）が、報知部５４（報知手段）に対して、商品情報が登録された旨を報知させる。したがって、客は、自ら選択した商品を登録した際に報知が行われることを学習するため、不正な操作による商品登録を抑制させることができる。
【００８７】
また、実施形態のセルフＰＯＳ端末１は、商品指定部５１（指定手段）が、商品と関連付けられたプリセットボタンＰＢの操作を検出したことを条件として、当該プリセットボタンＰＢに関連付けられた商品を指定する。或いは、商品情報読取部６１（指定手段）が、商品に貼付された当該商品を一意に特定するコード情報を含むコードシンボルを読み取ったことを条件として、商品を指定する。そして、商品情報登録部５２（登録手段）は、指定された商品の商品情報を登録する。したがって、報知指示部５３（報知指示手段）は、商品の登録方法によらずに、商品情報が登録されたことを報知させることができる。
【００８８】
また、実施形態のセルフＰＯＳ端末１において、報知指示部５３（報知指示手段）は、商品指定部５１（指定手段）が、プリセットボタンＰＢの操作を検出することによって商品を指定したか、または、商品情報読取部６１（指定手段）が、コードシンボルが含むコード情報を読み取ることによって商品を指定したか、に応じて、報知部５４（報知手段）に対して、異なる報知形態による報知を指示する。したがって、異なる方法で商品を指定して登録した際に、異なる方法で報知がなされるため、客は、自身が行った商品の登録操作が監視されているものと考え、不正な操作を行いにくくなる。
【００８９】
また、実施形態のセルフＰＯＳ端末１において、報知部５４（報知手段）は、少なくとも発光部１６（１７）（照明手段）を備えるものであって、当該発光部１６（１７）は、商品情報登録部５２または商品情報読取部６１に付設されるか、若しくはセルフＰＯＳ端末１とは離隔した、セルフＰＯＳ端末１の動作状態を監視するアテンダント端末に設置される。したがって、セルフＰＯＳ端末１の動作状態を監視する監視者が、セルフＰＯＳ端末１における商品の登録状態を監視することによって、例えば、客が登録操作に困っていないかを監視することができる。
【００９０】
また、実施形態のセルフＰＯＳ端末１において、報知指示部５３（報知指示手段）は、報知部５４（報知手段）に対して、所定時間に亘って報知を行わせる。したがって、客は、商品が登録されたことを確実に認識することができる。
【００９１】
以上、本発明の実施形態を説明したが、この実施形態は例示であり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９２】
例えば、制御部５０（６０）が実行する制御プログラムＰ１（Ｐ２）は、ＨＤＤ３６（ＲＯＭ６０ｂ）に格納された状態で提供してもよいし、インストール可能な形式又は実行可能な形式のファイルでＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録されて提供されてもよい。また、制御プログラムＰ１（Ｐ２）は、ネットワークに接続したコンピュータ上に格納して、ネットワーク経由でダウンロードすることによって提供してもよい。さらに、制御プログラムＰ１（Ｐ２）は、インターネット等のネットワーク経由で提供または配布してもよい。
【符号の説明】
【００９３】
１    セルフＰＯＳ端末（セルフチェックアウト装置、商品情報登録装置）
１６、１７    発光部
２４    ディスプレイ
２５    スキャナ
２６    ハンドスキャナ
５１    商品指定部（指定手段）
５２    商品情報登録部（登録手段）
５３    報知指示部（報知指示手段）
５４    報知部（報知手段）
６１    商品情報読取部（指定手段）
ＰＢ    プリセットボタン
Ｐ１、Ｐ２    制御プログラム
Ｓ１    選択登録画面
Ｓ２    読取登録画面
【先行技術文献】
【特許文献】
【００９４】
【特許文献１】特開２０１７−１７４４７４号公報
【図１】
2019185455.tif 000003
【図２】
2019185455.tif 000004
【図３】
2019185455.tif 000005
【図４】
2019185455.tif 000006
【図５】
2019185455.tif 000007
【図６】
2019185455.tif 000008
【図７】
2019185455.tif 000009